(57)【要約】      （修正有）【課題】定時に文字盤パターンを変換し、新鮮感と面白さを増し、消費者の購入意欲を増すことができる。【解決手段】時計の座体の中央に中空軸座１１、中空軸座の内部に伝動装置２０とムーブメント装置３０が、中空軸座の外部に回転座４０が設けられ、伝動装置が回転座を回転させ、座体１０と中空軸座の円周に複数の文字盤５０が枢設されて等分配置され、文字盤に少なくとも三つの等辺平面５１パターン５２が設けられ、中空軸座に複数の弾性片が設けられて文字盤を位置決めし、回転座に駆動ブロック４３と駆動溝４２を具え、文字盤に、駆動柱５６と駆動板５５が設けられ、軸蓋が閉じられて固定され、回転座が回転する時、自動的に文字盤が回転し、少なくとも三種類の文字盤パターンが表示される。【選択図】図２
0003105985.tif 000002
【実用新案登録請求の範囲】
【請求項１】
座体、伝動装置、ムーブメント装置、回転座、複数の文字盤、弾性板片、軸座前蓋、軸座後蓋、フレームを具えた文字盤自動変換時計であり、
該座体は中心に中空軸座を具え、該中空軸座の内部に伝動装置とムーブメント装置が収容され、該中空軸座の外部に逃し孔が設けられて伝動装置の従動歯車が外部に露出し、該中空軸座の外部に該回転座が嵌合され、該座体の円周及び中空軸座の上部に複数の相互に対応する枢設孔が設けられ、複数の等分配置された文字盤の枢設に供され、
該伝動装置はモータのウォームの噛み合いにより減速歯車と従動歯車が駆動され回転し、該従動歯車が該中空軸座の逃し孔と回転座の内歯車と噛み合い動力を伝送し、
該ムーブメント装置はムーブメントと指針を具え、
該回転座の内周に内歯車が設けられ、該回転座の上部に複数の等分配置された駆動溝が設けられ、該回転座の外部の該駆動溝に対応する部分に駆動ブロックが設けられて複数の等分配置された文字盤の駆動に供され、該回転座の底部に複数のトリガブロックが設けられ、該トリガブロックがトリガスイッチと接触する時、トリガスイッチが回転座の回転周数を検出し、伝動装置のモータを停止させ、
該複数の等分配置された文字盤は錐形体に形成され、複数の等しい平面を具え、各平面に合わせ図を完成するパターンが設けられ、該文字盤の両端に枢設柱が設けられ、座体の二つの枢設孔に枢設され、該文字盤に回転座の枢設柱に対応する幾何形状の駆動板が設けられ、該駆動板が回転座上でスライドし、文字盤の駆動板に対応する一端に複数の駆動柱が設けられ、回転座の駆動ブロックの駆動に供され、
該弾性板片にあって中空軸座の枢設孔に対応する位置に複数の弾性片が設けられて文字盤の枢設柱を弾性圧迫し、
該軸座前蓋が座体の中空軸座の前方に固定され、
該軸座後蓋が座体の中空軸座の後方に固定され、
該フレームが座体の円周部分を閉じ、
時報時に、該伝動装置が回転座を駆動し回転させ、回転座の駆動ブロック及び駆動溝により複数の文字盤の駆動柱と駆動板を駆動して所定角度回転させて文字盤のパターンを回転、変換させることを特徴とする、文字盤自動変換時計。
【請求項２】
請求項１記載の文字盤自動変換時計において、中空軸座の外部に複数の等分配置された支持柱が設けられて回転座の取付に供されることを特徴とする、文字盤自動変換時計。
【請求項３】
請求項１記載の文字盤自動変換時計において、座体に複数の電池シート、スピーカ、スイッチ、テストボタン、ホトセンシティブスイッチが設けられ、フレームの該ホトセンシティブスイッチに対応する部分に貫通孔が設けられてホトセンシティブスイッチが外界に露出して日中或いは夜間に感応して時報音声有りか無しかを決定することを特徴とする、文字盤自動変換時計。
【考案の詳細な説明】
【技術分野】
【０００１】
本考案は一種の文字盤自動変換時計に係り、特に、時計の座体円周に複数の等分配置された文字盤が枢設され、該文字盤が等辺三角形とされ、三つの平面を具え、三つの平面にそれぞれパターンが設けられ、定時に伝動装置と回転座が文字盤のパターンを変換し、時計文字盤の変化性と装飾性を増した文字盤自動変換時計に関する。
【背景技術】
【０００２】
周知の掛け時計は美しい外観造形により消費者の購入意欲をかき立てるほか、動く玩具を設けることで動態視覚効果を増し、これにより消費者の購入意欲を刺激する。ただし静態の外形展示、或いは動態玩具展示のいずれであっても、従来の掛け時計の文字盤はただ一種類のパターンのみしか有さず、やがては新鮮さがなくなる。
【考案の開示】
【考案が解決しようとする課題】
【０００３】
本考案は従来の技術の欠点を解決する文字盤自動変換時計を提供することを目的とし、それは、座体、伝動装置、ムーブメント装置、回転座、複数の等分配置される文字盤、弾性板片、軸座前蓋、軸座後蓋、フレームを具え、そのうち、複数の文字盤は、三つの等辺の平面で組成され、各平面にパターンが設けられ、各文字盤が三つのパターンを具え、該文字盤の両端に枢設柱が設けられ、座体内周、外周の対応する枢設孔に枢設され、該座体は中空軸座の内、外に伝動装置と回転座が設けられ、該伝動装置のモータ動力が減速歯車で減速された後に従動歯車より出力され、該回転座内径に対応する内歯車が設けられ、これにより該回転座が駆動されて回転し、該回転座の文字盤の対応部分に駆動ブロックと駆動柱、及び駆動溝と駆動板が設けられ、弾性板片が弾性片により文字盤の枢設柱に位置決めされ、中空軸座に軸座前蓋と軸座後蓋が固定されている。時計が時報或いは半時報の時、伝動装置のモータが駆動され、ウォーム、減速歯車、従動歯車の噛み合いにより回転座の内歯車が駆動されて回転座が回転し、回転座の駆動ブロックと駆動溝により同期に複数の文字盤の駆動柱と駆動板が駆動され、複数の文字盤が回転して表示パターンが変換され、定時に文字盤パターンを変換する目的が達成され、これにより新鮮感と面白さを増し、消費者の購入意欲を増す。
【課題を解決するための手段】
【０００４】
請求項１の考案は、座体、伝動装置、ムーブメント装置、回転座、複数の文字盤、弾性板片、軸座前蓋、軸座後蓋、フレームを具えた文字盤自動変換時計であり、
該座体は中心に中空軸座を具え、該中空軸座の内部に伝動装置とムーブメント装置が収容され、該中空軸座の外部に逃し孔が設けられて伝動装置の従動歯車が外部に露出し、該中空軸座の外部に該回転座が嵌合され、該座体の円周及び中空軸座の上部に複数の相互に対応する枢設孔が設けられ、複数の等分配置された文字盤の枢設に供され、
該伝動装置はモータのウォームの噛み合いにより減速歯車と従動歯車が駆動され回転し、該従動歯車が該中空軸座の逃し孔と回転座の内歯車と噛み合い動力を伝送し、
該ムーブメント装置はムーブメントと指針を具え、
該回転座の内周に内歯車が設けられ、該回転座の上部に複数の等分配置された駆動溝が設けられ、該回転座の外部の該駆動溝に対応する部分に駆動ブロックが設けられて複数の等分配置された文字盤の駆動に供され、該回転座の底部に複数のトリガブロックが設けられ、該トリガブロックがトリガスイッチと接触する時、トリガスイッチが回転座の回転周数を検出し、伝動装置のモータを停止させ、
該複数の等分配置された文字盤は錐形体に形成され、複数の等しい平面を具え、各平面に合わせ図を完成するパターンが設けられ、該文字盤の両端に枢設柱が設けられ、座体の二つの枢設孔に枢設され、該文字盤に回転座の枢設柱に対応する幾何形状の駆動板が設けられ、該駆動板が回転座上でスライドし、文字盤の駆動板に対応する一端に複数の駆動柱が設けられ、回転座の駆動ブロックの駆動に供され、
該弾性板片にあって中空軸座の枢設孔に対応する位置に複数の弾性片が設けられて文字盤の枢設柱を弾性圧迫し、
該軸座前蓋が座体の中空軸座の前方に固定され、
該軸座後蓋が座体の中空軸座の後方に固定され、
該フレームが座体の円周部分を閉じ、
時報時に、該伝動装置が回転座を駆動し回転させ、回転座の駆動ブロック及び駆動溝により複数の文字盤の駆動柱と駆動板を駆動して所定角度回転させて文字盤のパターンを回転、変換させることを特徴とする、文字盤自動変換時計としている。
請求項２の考案は、請求項１記載の文字盤自動変換時計において、中空軸座の外部に複数の等分配置された支持柱が設けられて回転座の取付に供されることを特徴とする、文字盤自動変換時計としている。
請求項３の考案は、請求項１記載の文字盤自動変換時計において、座体に複数の電池シート、スピーカ、スイッチ、テストボタン、ホトセンシティブスイッチが設けられ、フレームの該ホトセンシティブスイッチに対応する部分に貫通孔が設けられてホトセンシティブスイッチが外界に露出して日中或いは夜間に感応して時報音声有りか無しかを決定することを特徴とする、文字盤自動変換時計としている。
【考案の効果】
【０００５】
本考案の文字盤自動変換時計は、定時に文字盤パターンを変換する目的を達成し、これにより新鮮感と面白さを増し、消費者の購入意欲を増すことができる。
【考案を実施するための最良の形態】
【０００６】
図１、２の本考案の立体組合せ図及び立体分解図、及び図３の本考案の左側面断面組合せ図に示されるように、本考案の時計は、座体１０、伝動装置２０、ムーブメント装置３０、回転座４０、複数の文字盤５０、弾性板片６０、軸座前蓋７０、軸座後蓋８０、フレーム９０を具えている。
【０００７】
該座体１０は中心に中空軸座１１を具え、該中空軸座１１の内部に伝動装置２０とムーブメント装置３０が収容され、該中空軸座１１の外部に逃し孔１１１が設けられ、伝動装置２０の従動歯車２６が外部に露出し、該中空軸座１１の外部円周面に複数の等分配置された支持柱１１２が設けられ、それは回転座４０取付に供される。該中空軸座１１の上部の円周面に複数の等分配置された枢設孔１１３が設けられ、該座体１０の円周壁面に複数の等分配置された孔柱１２と複数の等分配置された枢設板１３が設けられ、各枢設板１３に対応する枢設孔１３１が設けられ、複数の等分配置される文字盤５０の枢設に供される。該中空軸座１１の上部の円周面内部に複数の等分配置されたネジ孔柱１１４が設けられて軸座前蓋７０の螺子止めに供される。該座体１０の中空軸座１１の周囲に複数の電池シート１４が設けられ、該座体１０の所定位置にスピーカ１５、基板１６、スイッチ１７、テストボタン１８、ホトセンシティブスイッチ１９が設けられ、該基板１６に時報音声を録音した音声ＩＣが設けられ、該ホトセンシティブスイッチ１９は日中或いは夜間に感応して時報音声有りか無しかを決定するのに供される。
【０００８】
図４は本考案の伝動装置の立体分解図である。図５は本考案の伝動装置の平面配置表示図である。該伝動装置２０は、上座２１、下座２２、モータ２３、ウォーム２４、減速歯車２５、従動歯車２６を具え、該下座２２は軸座後蓋８０のネジ孔柱８１に螺子止めされ、該下座２２の内部にモータシート２２１、第１軸孔柱２２２、第２軸孔柱２２３が設けられてモータ２３、減速歯車２５、従動歯車２６の設置に供され、該モータ２３にウォーム２４が設けられ、減速歯車２５の大歯車２５１と噛み合い伝動し、該減速歯車２５の小歯車２５２は従動歯車２６の大歯車２６１と噛み合い伝動し、該減速歯車２５の軸２５３の上端に弾性手段２７が設けられ、該上座２１に従動歯車２６に対応する部分に逃し孔２１１が設けられ、該従動歯車２６が外部に露出し、更に上座２１が下座２２に螺子止めされ一体とされている。
【０００９】
該ムーブメント装置３０は伝動装置２０の上方に設置され、該ムーブメント装置３０はムーブメント３１と指針３２を具えている。
【００１０】
該回転座４０は中空環体とされ、該回転座４０内周は中空軸座１１外部に嵌合され、該回転座４０の内周に内歯車４１が設けられ、伝動装置２０の従動歯車２６と噛み合い伝動し、該回転座４０の上部の円周面に複数の等分配置された駆動溝４２が設けられ、該回転座４０の外部の駆動溝４２に対応する位置に駆動ブロック４３が設けられ、これにより複数の等分配置された文字盤５０を駆動し、該回転座４０の底部の外周に複数のトリガブロック４４が設けられ、そのうち一つのトリガブロック４４１は比較的長く、一つの電池シート１４に設けられたトリガスイッチ１４１と組み合わされ、トリガブロック４４、４４１との接触により、該回転座４０の回転円弧検出を行なう。
【００１１】
該文字盤５０は合計１２個設けられ、各文字盤５０は略三角状の錐形体とされ、三つの平面５１を具え、各平面５１に合わせ図を構成するパターン５２が設けられ、該文字盤５０の両端に枢設柱５３、５４が設けられ、座体１０の枢設孔１３、１３１に枢設され、文字盤５０の一端の枢設柱５３に三角形の駆動板５５が設けられ、該文字盤５０の小錐部に三つの駆動柱５６が設けられ、文字盤５０の駆動板５５が回転座４０上でスライド可能とされている。
【００１２】
該弾性板片６０は円形板を加圧加工してなり、該弾性板片６０の枢設孔１１３に対応する部分に弾性片６１が設けられて、文字盤５０の枢設柱５３を弾圧し、該弾性板片６０の中心に貫通孔６２が設けられ、伝動装置２０の上座２１に螺子止めされる。
【００１３】
該軸座前蓋７０の中心に貫通孔７１が設けられ、ムーブメント装置３０のムーブメント３１が貫通、突出し、該軸座前蓋７０の底部の円周面に複数の等分配置された結合孔７２が設けられて中空軸座１１の枢設孔１１３と位置が合わされ、該軸座前蓋７０は座体１０の中空軸座１１の前方を被覆し、該軸座前蓋７０の上面に複数の等分配置された魚眼孔座７３が設けられ、ネジＰによるネジ孔柱１１４との螺子止めに供される。
【００１４】
該軸座後蓋８０にはネジ孔柱８１が設けられ、伝動装置２０の下座２２が螺子止めされ、該軸座後蓋８０は座体１０の中空軸座１１の後方を被覆する。
【００１５】
該フレーム９０は円周部分に対応するネジ孔柱９１が設けられ、ネジＰによる座体１０の孔柱１２との結合に供され、該フレーム９０は座体１０のホトセンシティブスイッチ１９に対応する部分に貫通孔９２を具え、ホトセンシティブスイッチ１９が外界に露出している。
【００１６】
上述の各部品が組み合わされて本考案が構成され、それは一種の文字盤自動変換時計であり、実際の動作は以下のとおりである。
【００１７】
図６から図１１に示されるように、時計が時報或いは半時報を表示する時、伝動装置２０のモータ２３が起動され、ウォーム２４、減速歯車２５、従動歯車２６の噛み合いにより回転座４０の内歯車４１が駆動され、該回転座４０が回転し、回転座４０の複数の駆動ブロック４３が同期の文字盤５０の駆動柱５６を駆動し、更に同期に奇数の文字盤５０の駆動柱５６を駆動し、複数の文字盤５０の駆動板５５が回転座４０の複数の等分配置された駆動溝４２を通過し、並びに一つの平面５１を回転させ、この平面５１上のパターン５２を完全に表示し、順に第１、第２、及び第３のパターン５２を表示し、回転座４０が所定の周数回転した後、トリガスイッチ１４１が回転座４０の比較的長いトリガブロック４４１を検出すると、回転座４０が定位に回転したことを示し、ゆえに一つの信号を伝動装置２０のモータ２３にフィードバックして動作を停止させ、次の時報或いは半時報まで待ち、更に重複して上述の動作を行なう。
【００１８】
総合すると、本考案は、一種の文字盤自動変換時計を提供し、本考案者により製造完成したものを反復して試験したところ、本考案の予期された作用効果が達成されることが実証された。また本考案はこれまでにない新規な創作であり、産業上の利用価値を具え、実用性と進歩性の成立要件を具備している。
【図面の簡単な説明】
【００１９】
【図１】本考案の立体組合せ図である。
【図２】本考案の立体分解図である。
【図３】本考案の左側面断面組合せ図である。
【図４】本考案の伝動装置の立体分解図である。
【図５】本考案の伝動装置の平面配置表示図である。
【図６】本考案の文字盤変換時の動作表示図である。
【図７】本考案の文字盤変換後の動作表示図である。
【図８】本考案の第１パターン表示状態図である。
【図９】本考案の偶数文字盤回転状態表示図である。
【図１０】本考案の奇数文字盤が回転して第２パターンが表示された状態表示図である。
【図１１】本考案の第３パターン表示状態図である。
【符号の説明】
【００２０】
１０  座体                      １１  中空軸座
１１１  逃し孔                  １１２  支持柱
１１３  枢設孔                  １１４  ネジ孔柱
１２  孔柱                      １３  枢設板
１３１  枢設孔                  １４  電池シート
１４１  トリガスイッチ          １５  スピーカ
１６  基板                      １７  スイッチ
１８  テストボタン              １９  ホトセンシティブスイッチ
２０  伝動装置                  ２１  上座
２１１  逃し孔                  ２２  下座
２２１  モータシート            ２２２  第１軸孔柱
２２３  第２軸孔柱              ２３  モータ
２４  ウォーム                  ２５  減速歯車
２５１  大歯車                  ２５２  小歯車
２５３  軸                      ２６  従動歯車
２６１  大歯車                  ２６２  弾性手段
３０  ムーブメント装置          ３１  ムーブメント
３２  指針
４０  回転座                    ４１  内歯車
４２  駆動溝                    ４３  駆動ブロック
４４  トリガブロック            ４４１  トリガブロック
５０  文字盤                    ５１  平面
５２  パターン                  ５３  枢設柱
５４  枢設柱                    ５５  駆動板
５６  駆動柱
６０  弾性板片                  ６１  弾性片
６２  貫通孔
７０  軸座前蓋                  ７１  貫通孔
７２  結合孔                    ７３  魚眼孔座
８０  軸座後蓋                  ８１  ネジ孔柱
９０  フレーム                  ９１  ネジ孔柱
９２  貫通孔                    Ｐ  ネジ
【図１】
0003105985.tif 000003
【図２】
0003105985.tif 000004
【図３】
0003105985.tif 000005
【図４】
0003105985.tif 000006
【図５】
0003105985.tif 000007
【図６】
0003105985.tif 000008
【図７】
0003105985.tif 000009
【図８】
0003105985.tif 000010
【図９】
0003105985.tif 000011
【図１０】
0003105985.tif 000012
【図１１】
0003105985.tif 000013